(57)【要約】【課題】ガイドが閉じ位置に移動したことを作業者へ知らしめることができる飲料ディスペンサを提供すること。【解決手段】飲料ディスペンサ１は、第１の飲料を吐出するノズル４２と第２の飲料を収容する飲料収容部５１Ａに接続されるチューブ５３とチューブ５３内の飲料を送り出すチューブポンプ５４とを備え、チューブポンプ５４はローター６３とローター６３の外周部６３Ｃに沿って湾曲するガイド６４とを有し、ガイド６４は、チューブ５３を押圧する閉じ位置とチューブ５３の押圧を解除する解除位置との間を移動可能に支持され、ガイド６４に設けられガイド６４の移動方向に交差する方向に突出する固定ピン６７と、固定ピン６７を係止しガイド６４を閉じ位置に固定する固定孔７１と、閉じ位置と解除位置とを移動する固定ピン６７の通過領域に設けられガイド６４側に突出するピン案内部７２と、を備えている。【選択図】図５
2020132225.tif 000002
【特許請求の範囲】
【請求項１】
上下方向に延びて下方から第１の飲料を吐出するノズルと、
前記第１の飲料に混合される第２の飲料を収容する飲料収容部に接続され前記第２の飲料が流れるチューブと、
前記チューブ内の飲料を送り出すチューブポンプと、を備え、
前記チューブポンプは、回転駆動するローターと、前記ローターの外周部に沿って湾曲する内周部を有するガイドと、を有し、
前記ガイドは、前記ローターの外周部との間に前記チューブを押圧する閉じ位置と、前記ローターの外周部との間を開放し前記チューブの押圧を解除する解除位置と、の間を移動可能に支持され、
前記ガイドに設けられ、前記ガイドの移動方向に交差する方向に突出する係止部と、
前記係止部を係止し、前記ガイドを前記閉じ位置に固定する被係止部と、
前記閉じ位置と前記解除位置とを移動する前記係止部の通過領域に設けられ、前記ガイド側に突出する案内部と、
を備えていることを特徴とする飲料ディスペンサ。
【請求項２】
前記案内部は、前記ガイドの移動方向において、前記被係止部から遠ざかるにしたがって突出量が増大する第１傾斜面と、前記第１傾斜面に連続して形成され前記被係止部から遠ざかるにしたがって突出量が減少する第２傾斜面と、を有する、
ことを特徴とする請求項１に記載の飲料ディスペンサ。
【請求項３】
回動軸を有し、前記閉じ位置と前記解除位置との間を、前記回動軸を中心に回動可能に支持された前記ガイドと、
前記回動軸に平行に延び、前記回動軸に平行に摺動可能に支持された前記係止部と、
前記係止部を前記被係止部側に付勢する付勢部材と、を備える、
ことを特徴とする請求項１又は２に記載の飲料ディスペンサ。
【発明の詳細な説明】
【技術分野】
【０００１】
本発明は、ＢＩＢを使用する飲料ディスペンサに関する。
【背景技術】
【０００２】
従来、この種の飲料ディスペンサでは、ＢＩＢ（Ｂａｇ  Ｉｎ  Ｂｏｘ）のチューブを、ローターとガイドで挟んで、飲料を送り出すチューブポンプが使用される（例えば、特許文献１参照）。特許文献１では、使用時には、円弧状のガイドを、ローターの外周に近接する閉じ位置に移動させて、上下の連結ピンを介してフレームに固定し、このガイドとローターの外周部位との間に前記チューブを配置している。なお、ローターに回転力を伝える直流型の電動モータはフレームに備えられている。
【先行技術文献】
【特許文献】
【０００３】
【特許文献１】特開２００２−２８５９７７号公報
【発明の概要】
【発明が解決しようとする課題】
【０００４】
一般的に、チューブポンプを利用して流量制御を行うディスペンサは、チューブの劣化・変形を低減するために、夜間などの長時間不使用の際には、ガイドを外してチューブを緩めておくことが推奨される。しかしながら、使用時にはガイドを閉じてチューブをローター側に押圧する必要がある。このとき、ガイドを、閉じ位置側に移動させていたとしても、ガイドのピンを嵌め忘れてガイドの固定が不完全である場合、ローターの動作がチューブに伝わり難くＢＩＢから所望量の飲料を吐出することができなくなる。このため、ガイドが確実に閉じ位置に移動していることを認識できる技術が望まれていた。
【０００５】
本発明は、前記従来の課題を解決するもので、ガイドが閉じ位置に移動したことを作業者へ知らしめることができる飲料ディスペンサを提供することを目的とする。
【課題を解決するための手段】
【０００６】
前記目的を達成するため、本発明の飲料ディスペンサは、チューブ内の飲料を送り出すチューブポンプと、を備え、前記チューブポンプは、回転駆動するローターと、前記ローターの外周部に沿って湾曲する内周部を有するガイドと、を有し、前記ガイドは、前記ローターの外周部との間に前記チューブを押圧する閉じ位置と、前記ローターの外周部との間を開放し前記チューブの押圧を解除する解除位置と、の間を移動可能に支持され、前記ガイドに設けられ、前記ガイドの移動方向に交差する方向に突出する係止部と、前記係止部を係止し、前記ガイドを前記閉じ位置に固定する被係止部と、前記閉じ位置と前記解除位置とを移動する前記係止部の通過領域に設けられ、前記ガイド側に突出する案内部と、を備えている、ことを特徴とする。
【０００７】
これによれば、ガイドを閉じ位置に移動させる際に係止部が案内部に接触して越えることで、作業者が装着感を得ることができ、ガイドが閉じ位置に移動したことを作業者へ知らしめることができる。
【発明の効果】
【０００８】
本発明の飲料ディスペンサは、ガイドを閉じ位置に移動させる際に係止部が案内部に接触して越えることで、作業者が装着感を得ることができ、ガイドが閉じ位置に移動したことを作業者へ知らしめることができる。このため、作業者は装着感を得られるようにガイドを移動させて閉じ位置にガイドを移動させることができ、チューブが誤った状態でチューブポンプに装着されることを防止できる。
【図面の簡単な説明】
【０００９】
【図１】本発明の実施の形態における飲料ディスペンサの斜視図
【図２】扉を開放した飲料ディスペンサの正面図
【図３】右側のパネルを取り外した飲料ディスペンサの右側面図
【図４】図２の要部拡大図
【図５】図５は、チューブポンプとピンチ機構との斜視図
【図６】図４のＶＩ−ＶＩ線断面図
【図７】ピンチ機構を下方から見た要部斜視図
【図８】中立位置の保持部材を示す正面図
【図９】上向き位置の保持部材を示す正面図
【図１０】下向き位置の保持部材を示す正面図
【図１１】ポンプユニットを取り外した状態を示す斜視図
【図１２】ピンチユニットを取り外した状態を示す斜視図
【発明を実施するための形態】
【００１０】
第１の発明は、飲料ディスペンサにおいて、上下方向に延びて下方から第１の飲料を吐出するノズルと、前記第１の飲料に混合される第２の飲料を収容する飲料収容部に接続され前記第２の飲料が流れるチューブと、前記チューブ内の飲料を送り出すチューブポンプと、を備え、前記チューブポンプは、回転駆動するローターと、前記ローターの外周部に沿って湾曲する内周部を有するガイドと、を有し、前記ガイドは、前記ローターの外周部との間に前記チューブを押圧する閉じ位置と、前記ローターの外周部との間を開放し前記チューブの押圧を解除する解除位置と、の間を移動可能に支持され、前記ガイドに設けられ、前記ガイドの移動方向に交差する方向に突出する係止部と、前記係止部を係止し、前記ガイドを前記閉じ位置に固定する被係止部と、前記閉じ位置と前記解除位置とを移動する前記係止部の通過領域に設けられ、前記ガイド側に突出する案内部と、を備えている。
これによれば、ガイドを閉じ位置に移動させる際に係止部が案内部に接触して越えることで、作業者が装着感を得ることができ、ガイドが閉じ位置に移動したことを作業者へ知らしめることができる。このため、作業者は装着感を得られるようにガイドを移動させて閉じ位置にガイドを移動させることができ、チューブが誤った状態でチューブポンプに装着されることを防止できる。
【００１１】
第２の発明は、前記案内部は、前記ガイドの移動方向において、前記被係止部から遠ざかるにしたがって突出量が増大する第１傾斜面と、前記第１傾斜面に連続して形成され前記被係止部から遠ざかるにしたがって突出量が減少する第２傾斜面と、を有する。
これによれば、第１傾斜面により係止部を被係止部に案内して係止させることができると共に、第２傾斜面により係止部を介してガイドを解除位置側に案内することができる。よって、ガイドが閉じ位置の近傍で未固定の状態の場合に、作業者に未固定の状態を気づかせ易くできる。
【００１２】
第３の発明は、回動軸を有し、前記閉じ位置と前記解除位置との間を、前記回動軸を中心に回動可能に支持された前記ガイドと、前記回動軸に平行に延び、前記回動軸に平行に摺動可能に支持された前記係止部と、前記係止部を前記被係止部側に付勢する付勢部材と、を備える。
これによれば、係止部の摺動量を確保し易く、確実に装着と未装着を分けることができる。
【００１３】
以下、本発明の実施の形態について、図面を参照して説明する。なお、本実施の形態によって本発明が限定されるものではない。
図１は、本発明の実施の形態における飲料ディスペンサ１の外観斜視図である。
飲料ディスペンサ１は、外観箱状の本体２を備える。本体２の前部には、扉３が設けられている。扉３は、本体２の前面左部のヒンジ軸（不図示）を中心として開閉可能に支持されている。扉３の前面には、供給可能な飲料を表示する表示部３Ａと、飲料を選択する選択ボタン３Ｂと、が設けられている。本体２の前部下方には、飲料が供給されるカップ４をセットするがカップセット部５が設けられている。カップセット部５の下方には、ドリップトレイ６が支持されている。
【００１４】
図２は、扉３を開放した飲料ディスペンサ１の正面図である。図３は、右側のパネル２Ａを取り外した飲料ディスペンサ１の右側面図である。
本体２は、冷却ユニット１１（図３参照）と、正面視で、本体２の左右方向（幅方向）中央に配置されたタンクユニット１２と、タンクユニット１２の左右に配置された左右一対のＢＩＢユニット１３、１３と、を有する。
【００１５】
冷却ユニット１１は、図３に示すように、冷凍サイクルを構成する圧縮機２１、凝縮器２２、キャピラリチューブ（不図示）、および、蒸発器（不図示）を備えている。また、冷却ユニット１１は、凝縮器２２の後方に配置されたファン２３や、冷媒を循環させる冷媒管（不図示）などを備えている。冷却ユニット１１の蒸発器（不図示）において冷媒が蒸発することにより、上部の水槽３４や保冷庫５１が冷却可能に構成されている。
【００１６】
タンクユニット１２は、水供給系３１と、シロップ供給系３２と、水供給系３１およびシロップ供給系３２が接続されたノズルユニット３３（図２参照）と、を備える。
水供給系３１は、水槽３４を有する。水槽３４は本体２の後部上方に配置されている。水槽３４には、不図示の管を介して水道水が供給される。水槽３４には、前下方に延びる管３５が接続されている。管３５は、加圧タンク３６に接続されている。加圧タンク３６から延びる図示しない管は、電磁弁３８を介してノズルユニット３３に接続されている。電磁弁３８の開閉制御により加圧された水がノズルユニット３３に供給可能に構成されている。
【００１７】
シロップ供給系３２は、シロップが収容されたシロップタンク（不図示）から延びる管３９を有する。この管３９は電磁弁４０を介してノズルユニット３３に接続されている。電磁弁４０の開閉制御によりシロップがノズルユニット３３に供給可能に構成されている。なお、飲料ディスペンサ１には、シロップタンク（不図示）やシロップ供給系３２は複数設けられており、異なる種類のシロップがノズルユニット３３に供給可能に構成されている。
【００１８】
ノズルユニット３３は、図２に示すように、本体２の前面中央部に支持されている。ノズルユニット３３は、複数のシロップタンクより供給される種類の異なったシロップ飲料を利用者の選択に応じて吐出する複合ノズルである。ノズルユニット３３は、外観箱状のミキサ部４１と、ミキサ部４１の下部から下方に延びる軸状のノズル４２とを有する。ノズル４２の下端には吐出口４２Ａが形成されている。ミキサ部４１には、電磁弁３８、４０（図３参照）から延びるそれぞれの管（不図示）が接続されている。ミキサ部４１では、供給されたシロップと水を混合してシロップ飲料が生成され、生成されたシロップ飲料がノズル４２の吐出口４２Ａを通じて下方に吐出される。水のみがミキサ部４１に供給された場合には、ノズル４２を通じて吐出口４２Ａから水のみが吐出される。吐出口４２Ａから吐出される飲料は、ノズル４２の軸線Ｌ０に沿って下方に吐出される。本実施の形態では、水が、第１の飲料に対応する。
【００１９】
ノズルユニット３３の左右には、ＢＩＢユニット１３、１３が配置されている。左右のＢＩＢユニット１３、１３は、配置位置に応じて形状等が異なるが、基本的な構成は同様である。
ＢＩＢユニット１３は、本体２の上部前方に、保冷庫５１を備える。保冷庫５１は冷却ユニット１１により冷却可能に構成されている。保冷庫５１には、ＢＩＢ（Ｂａｇ  Ｉｎ  Ｂｏｘ）５２が交換可能に装着される。ＢＩＢ５２には、ウーロン茶やジュースなどの濃縮飲料が収容されている。ＢＩＢ５２の濃縮飲料は水と混合されて希釈されて提供される。本実施の形態では、濃縮飲料が、第２の飲料に対応する。
【００２０】
ＢＩＢ５２は、可撓性を有する材料で構成されている。ＢＩＢ５２は、濃縮飲料を収容する箱形状の飲料収容部５２Ａと、飲料収容部５２Ａに接続され濃縮飲料が導出されて流れるチューブ５３と、を有する。ＢＩＢ５２は、流通時には、チューブ５３の先端が封止されて密閉された状態で流通する。そして、ＢＩＢ５２が飲料ディスペンサ１にセットされる際にチューブ５３の封止部分が除去されチューブ５３の先端に吐出口５３Ａが形成される。
【００２１】
ＢＩＢ５２のチューブ５３は、保冷庫５１の前方から下方に延びて、チューブポンプ５４に導入されチューブポンプ５４に装着されている。また、チューブ５３は、チューブポンプ５４から導出された先端部５３Ｂが、ピンチ機構５５に保持される。ピンチ機構５５は、ローター６３の下側で、ローター６３の回転軸６２に対してノズル４２側に配置されている。ピンチ機構５５は、チューブ５３がノズル４２に近づくにしたがって下方になるように傾斜させた状態で支持する。ピンチ機構５５は、チューブ５３の吐出口５３Ａを、ノズル４２の吐出口４２Ａの下方に向けて保持する。
【００２２】
図４は、図２の要部拡大図である。図５は、チューブポンプ５４とピンチ機構５５との斜視図である。
チューブポンプ５４はベース部６１を備える。ベース部６１は、本体２の前面のパネル２Ｂに固定具５４Ａで固定される。ベース部６１には、ローター６３が支持されている。ローター６３は前後方向に延びる回転軸６２に回転可能に支持されている。回転軸６２には、ベース部６１の後方に支持された直流モータ（不図示）から駆動力が伝達される。
【００２３】
ローター６３は、前後一対の円板状の本体部６３Ａと、前後の本体部６３Ａの間に回転可能に支持される円柱状のローラー６３Ｂと、を備える。ローラー６３Ｂは、本体部６３Ａの外周部６３Ｃに沿って等間隔に複数配置されている。ローラー６３Ｂにより、ローター６３の外周部６３Ｃには、チューブ５３を押圧して濃縮飲料を送り出す凹凸形状が形成される。
【００２４】
右側のローター６３には、正面視において時計回りの駆動力が伝達されるように構成されている。また、左側のローター６３には、正面視において反時計回りの駆動力が伝達されるように構成されている。
【００２５】
ローター６３に対して左右方向外側には、チューブ５３をローター６３に押圧するアーム状のガイド６４が支持されている。ガイド６４は、ローター６３の外周部６３Ｃに沿って湾曲する内周部６４Ａを有する。チューブ５３が、ローター６３の外周部６３Ｃとガイド６４の内周部６４Ａとの間に挟まれて押圧された状態で装着される。チューブ５３は、ローター６３に対して、ローラー６３Ｂの無い部分では本体部６３Ａ、６３Ａ間に進入した状態で、ローラー６３Ｂ部分で外周部６３Ｃに沿って保持される。
【００２６】
チューブ５３の先端部５３Ｂが、左右方向外側からノズル４２の下方に向かって延びて配置される本実施形態では、チューブ５３が、ローター６３の外周部６３Ｃから延びる仮想直線Ｌ１に沿って延びる。ガイド６４が、ローター６３の左右方向外側に配置されているため、チューブ５３の屈曲を抑制し、チューブ５３内の飲料の流れを滞り難くすることができる。
【００２７】
ガイド６４は、ローター６３の回転方向に対して、下流側の下流端部６４Ｂと、上流側の上流端部６４Ｃと、を備える。
下流端部６４Ｂには、前後方向に延びる回動ピン（回動軸）６５が支持されている。本実施の形態では、回動ピン６５は回転軸６２の下方に配置されている。
ガイド６４は、回動ピン６５を中心として回動可能に支持されている。ガイド６４（図４の実線参照）は、ローター６３の外周部６３Ｃとの間にチューブ５３を押圧する閉じ位置に回動可能である。また、ガイド６４（図４の破線参照）は、ローター６３の外周部６３Ｃとの間を開放しチューブ５３の押圧を解除する解除位置に回動可能である。
【００２８】
回動ピン６５の左右方向外側には、ストッパー６６が形成されている。ストッパー６６はベース部６１から前方に突出する軸状に形成されている。ストッパー６６は、ガイド６４に接触して、ガイド６４が左右方向外側に移動し過ぎることを規制し、ガイド６４を解除位置に保持する。
【００２９】
図６は、図４のＶＩ−ＶＩ線断面図である。
上流端部６４Ｃには、前後方向に延びる固定ピン（係止部）６７を支持するピン摺動部６８が形成されている。ピン摺動部６８には、前後方向に延びる柱状の摺動孔６８Ａが形成されている。摺動孔６８Ａの前端には、摺動孔６８Ａよりも小径の貫通孔６８Ｂが形成されている。貫通孔６８Ｂには、固定ピン６７が挿入され、摺動孔６８Ａおよび貫通孔６８Ｂに沿って固定ピン６７が前後方向に摺動可能に支持される。
【００３０】
固定ピン６７には、円板状の受部６７Ａが支持される。受部６７Ａは、摺動孔６８Ａに収容されている。摺動孔６８Ａの内部には、受部６７Ａの前方に、圧縮バネ（付勢部材）６９が配置されている。圧縮バネ６９は、固定ピン６７をベース部６１側に付勢している。固定ピン６７の前端には、貫通孔６８Ｂよりも大径の摘み部６７Ｂが支持されている。摘み部６７Ｂはガイド６４の上流端部６４Ｃに引っ掛かる。摘み部６７Ｂにより、付勢された固定ピン６７が抜け止めされ、固定ピン６７はガイド６４から突出した突出位置に保持される。摘み部６７Ｂを前方に引っ張ることにより圧縮バネ６９が圧縮されて固定ピン６７が突出位置から退避可能である。
【００３１】
ベース部６１には、固定ピン６７が挿入される固定孔（被係止部）７１が形成されている。固定孔７１に固定ピン６７が挿入されることにより、ガイド６４が閉じ位置に固定される。固定ピン６７がピン形状で摺動する構成であり前後方向に摺動する量を確保し易く、突出位置と、突出位置から退避した位置との間の差を大きくし易くなっている。
【００３２】
固定孔７１に隣接してベース部６１には、ピン案内部（案内部）７２が形成されている。ピン案内部７２は、ガイド６４と共に回動する固定ピン６７の通過領域に形成されている。ピン案内部７２は、突出位置の固定ピン６７に接触するように前方に突出している。ピン案内部７２は、ガイド６４の移動方向において、固定孔７１から遠ざかるにしたがって突出量が増大する固定案内面（第１傾斜面）７２Ｂと、固定案内面７２Ｂに連続して形成され固定案内面７２Ｂから遠ざかるにしたがって突出量が減少する解除案内面（第２傾斜面）７２Ａと、を備える。固定案内面７２Ｂと、解除案内面７２Ａとの間には稜線状の頂部７２Ｃが形成されている。固定案内面７２Ｂに固定孔７１が形成されている。なお、ピン案内部７２の突出量は、固定ピン６７の突出方向とは反対方向に突出する量であり、固定ピン６７を突出位置から退避させる方向に突出する量である。
【００３３】
解除位置から固定位置にガイド６４が移動する場合、突出位置の固定ピン６７がピン案内部７２に接触する。固定ピン６７には圧縮バネ６９により付勢力が作用しているため、ピン案内部７２に固定ピン６７が接触した状態が保持され、固定ピン６７がピン案内部７２の頂部７２Ｃを越える際に前後方向に摺動する。よって、作業者には、ガイド６４を閉じ位置に移動させる際に、クリック感のような装着感を得ることができ、ガイド６４が閉じ位置に移動したことを作業者へ知らしめることができる。
【００３４】
また、固定ピン６７が解除案内面７２Ａに接触する場合には、固定ピン６７には圧縮バネ６９の付勢力が作用するため、解除案内面７２Ａの傾斜により解除位置側に移動する力を受ける。このため、作業者の操作など外力が作用しない場合には、ガイド６４が解除位置に向かって移動する。同様に、固定ピン６７が、固定案内面７２Ｂに接触する場合には、固定ピン６７が固定孔７１に案内され係止される。よって、ピン案内部７２により、ガイド６４を、閉じ位置か、閉じ位置からずれた方向に移動させることができる。
【００３５】
特に、頂部７２Ｃは稜線状であるため、固定ピン６７が頂部７２Ｃからずれ易い。よって、仮に、頂部７２Ｃで作業者がガイド６４から手を離しても、ガイド６４が固定案内面７２Ｂか解除案内面７２Ａに移動するため、本実施の形態では、簡素な構成で閉じ位置に移動しているか否かを作業者が認識し易くなっている。よって、チューブ５３のチューブポンプ５４への不完全な固定が抑制される。また、固定ピン６７が固定孔７１に嵌っていない不完全な閉じ位置への移動が作業者に認識され易くなっている。
【００３６】
図４〜図６に示すように、ガイド６４の上流端部６４Ｃには、左右方向でチューブ５３側に向かって二股状に分岐する導入部７３が形成されている。ガイド６４の導入部７３に対向して、ベース部６１には、導入部６１Ａが形成されている。導入部７３と導入部６１Ａが対向することにより囲み形状が形成される。上方から延びるチューブ５３が、この囲み形状の内部を通って、ローター６３とガイド６４との間にチューブ５３が導入される。また、導入部７３と導入部６１Ａは、ローター６３の回転軸６２よりもノズル４２から離間する左右方向外側に形成されている。よって、チューブ５３は屈曲が抑制された状態でチューブポンプ５４に導入される。
【００３７】
ガイド６４は、下流端部６４Ｂが、左右方向で上流端部６４Ｃよりもノズルユニット３３側に配置されており、傾斜した状態で配置されている。したがって、ガイド６４が上下方向に延びた状態で配置される場合に比べて、チューブポンプ５４の上下方向の大きさが抑制されている。
下側の回動ピン６５は、ローター６３の回転軸６２の下方に配置されている。したがって、ガイド６４を解除位置に移動させてもの左右外側に食み出し難い状態で、ローター６３との間を大きく開放可能である。また、チューブポンプ５４にチューブ５３が挟まれる領域を確保しつつ上下方向の大きさをコンパクトにできる。
【００３８】
チューブ５３の先端部５３Ｂを保持するピンチ機構５５は、ガイド６４よりもローター６３の回転方向下流側であって、ローター６３の外周部６３Ｃからノズル４２の下方を通る接線方向Ａに配置されている。接線方向Ａは、ローター６３の外周部６３Ｃに接し、外周部６３Ｃからノズル４２の下方に向かって延びる接線の方向である。よって、チューブ５３が沿う仮想直線Ｌ１がローター６３の接線方向Ａに沿い易く、ローター６３の左右方向外側から導出されるチューブ５３の屈曲を抑制することができる。
【００３９】
ピンチ機構５５は、箱状のベース部８１を備える。ベース部８１は、本体２の前面パネルに固定具５５Ａで固定される。よって、チューブポンプ５４から導出されるチューブ５３は、接線方向Ａに沿って直線状に延びる仮想直線Ｌ１上を延びている。よって、チューブ５３に屈曲が生じず、チューブ５３の長さを抑制できると共に、濃縮飲料が流れ易くなっている。つまり、チューブ５３をローター６３の接線方向Ａに沿って配置でき、チューブ５３の長さを抑制することができる。また、チューブ５３の屈曲が抑制できるため、チューブ５３を通る飲料を流れ易くすることができる。
【００４０】
図７は、ピンチ機構５５を下方から見た要部斜視図である。
ベース部８１の前部には、前方に延びる四角筒状のピンチ壁部８２が形成されている。ピンチ壁部８２には、接線方向Ａ（図４参照）に沿って対向する一対のＵ字溝８２Ａ、８２Ａが形成されている。Ｕ字溝８２Ａ、８２Ａには、チューブ５３が挿入されている。ピンチ壁部８２には、ピンチ壁部８２を前方から閉塞しチューブ５３を径方向から覆う開閉部材８３が支持されている。開閉部材８３は、一端がピンチ壁部８２にヒンジ回転可能に支持され、他端がピンチ壁部８２に係合して支持される。ベース部６１の後方には、ソレノイド（不図示）などを有する不図示のピンチ機構本体が支持されている。ピンチ機構本体は、飲料の非供給時にチューブ５３を径方向から圧接して、チューブ５３からの濃縮飲料の液だれを防止するように構成されている。
【００４１】
ピンチ壁部８２の下方のノズル４２側には、チューブ５３の吐出口５３Ａ近傍の先端部５３Ｂを保持する保持部材（保持部）８４が配置されている。保持部材８４は仮想直線Ｌ１（図４参照）上に配置されている。保持部材８４は、基部８４Ａと、基部８４Ａに形成されて前方に突出する一対の挟持部８４Ｂ、８４Ｂとを備える。挟持部８４Ｂ、８４Ｂ同士の対向部分には、互いに平行に形成されて前方に延びる当接部８４Ｃ、８４Ｃが形成されている。本実施の形態では当接部８４Ｃ、８４Ｃが一定の間隔で平行に形成されており、当接部８４Ｃ、８４Ｃの先端が前方に位置し、前方が開放されている。
チューブ５３は、挟持部８４Ｂ、８４Ｂの間に圧入して装着され、チューブ５３内の濃縮飲料の流速が増大するようにチューブ５３内の流路が扁平状に圧縮されて装着される。よって、簡素な構成で、チューブ５３の先端部５３Ｂの流路を狭めることができ、濃縮飲料の流速を増すことができる。また、ＢＩＢ５２の種類によってはチューブ５３の径が異なる場合がある。当接部８４Ｃ、８４Ｃが一定の間隔で平行に形成されているため、異なるチューブ５３の径であっても、チューブ５３の肉厚が同じ場合には流路の断面の幅を同じにし易くなっている。
【００４２】
保持部材８４は、図４に示すように、ノズルユニット３３の下方に進入して配置されている。保持部材８４は、チューブ５３の吐出口５３Ａをノズル４２の吐出口４２Ａの下方に向けて保持するように配置されている。よって、ノズル４２の近くで濃縮飲料を吐出させて、ノズル４２からの飲料に濃縮飲料を当てて混合し易い状態にし易くなっている。特に、本実施の形態では、チューブ５３が扁平状に圧縮され、チューブ５３の流路の断面幅が一定にされ易い。よって、吐出される飲料の流れも安定し液だれが抑制された状態で吐出させ易くなっている。
【００４３】
図８は、中立位置の保持部材８４を示す正面図である。図９は、上向き位置の保持部材８４を示す正面図である。図１０は、下向き位置の保持部材８４を示す正面図である。
保持部材８４の基部８４Ａには、前後方向に延びる支持孔８４Ｄが形成されている。支持孔８４Ｄには、ベース部８１に設けられた凸軸８１Ａが挿入されている。基部８４Ａは凸軸８１Ａを中心に回動可能に支持されている。基部８４Ａとベース部８１との間には摩擦力を付与するＯリング（不図示）が支持されており、摩擦力により基部８４Ａの回動角度が保持可能に構成されている。本実施の形態では、保持部材８４は、図９に示す上向き位置から図８に示す下向き位置の間で向きを変えることが可能になっている。これにより、濃縮飲料の粘度に応じて、チューブ５３から吐出する飲料の吐出方向を調整することができる。
【００４４】
保持部材８４の下面には、円筒状に突出するキャップ取付部８４Ｅが形成されている。キャップ取付部８４Ｅの先端はフランジ状に形成されており、キャップ８５が着脱可能に支持される。キャップ８５は、店舗閉店時などの飲料ディスペンサ１の不使用時にキャップ取付部８４Ｅに取り付けられ、チューブ５３の吐出口５３Ａを保護する。
また、ピンチ機構５５の左右方向外側において、ベース部６１には、後方に円形状に凹んだ凹部６１Ｂが形成されている。凹部６１Ｂは、キャップ８５を嵌め込み可能に構成されている。飲料ディスペンサ１の使用時に、チューブ５３の吐出口５３Ａを保護していたキャップ８５を凹部６１Ｂに取り付けて保管できる。
【００４５】
図１１は、ポンプユニット９１を取り外した状態を示す斜視図である。図１２は、ピンチユニット９２を取り外した状態を示す斜視図である。
チューブポンプ５４と、ピンチ機構５５とはそれぞれユニット化されている。チューブポンプ５４を備えるポンプユニット９１と、ピンチ機構５５を備えるピンチユニット９２はそれぞれ別体として本体２に固定されている。
【００４６】
図１１に示すように、本体２の前面のパネル２Ｂには、ポンプユニット９１が装着可能な開口状の装着部２Ｃが形成されている。装着部２Ｃにポンプユニット９１の後部を差込み、ベース部６１の固定部６１Ｃを固定具５４Ａ（図４参照）で固定することにより、ポンプユニット９１が本体２のパネル２Ｂに固定される。
【００４７】
また、ポンプユニット９１のベース部６１の下部には、ノズル４２側に、ユニット支持部９３が形成されている。ユニット支持部９３は、下方になるにしたがってノズル４２から遠ざかるように傾斜している。ユニット支持部９３には、Ｌ字状で前後方向に延びる一対の支持部９３Ａ、９３Ａが形成されている。
【００４８】
ユニット支持部９３には、図１２に示すように、ピンチユニット９２が前後方向にスライド可能に係合される。ピンチユニット９２の上部には、折り曲げ板状の係合部９４が支持されている。係合部９４の左右両端には、前後方向に延びる一対の挿入部９４Ａ、９４Ａが形成されている。挿入部９４Ａ、９４Ａを支持部９３Ａ、９３Ａに前方、または、後方から挿入することにより、ピンチユニット９２がポンプユニット９１に支持される。ポンプユニット９１とピンチユニット９２とは互いに前後方向に移動可能に係合される。
【００４９】
図１２に示すように、本体２の前面のパネル２Ｂには、ピンチユニット９２が装着可能な開口状の装着部２Ｄが形成されている。装着部２Ｄには、ポンプユニット９１のユニット支持部９３に係合部９４を嵌めるようにして、ピンチユニット９２の後部が差し込まれる。そして、ベース部８１の固定部８１Ｂを固定具５５Ａ（図４参照）で固定する。これにより、ピンチユニット９２が本体２のパネル２Ｂに固定される。ピンチユニット９２をポンプユニット９１に対して着脱可能にしたので、メンテナンス性が向上している。
【００５０】
本実施の形態では、左右のポンプユニット９１でユニット支持部９３の形成位置は異なるが、ピンチユニット９２は左右で共通化されている。
ポンプユニット９１とピンチユニット９２とは別体であるため部品の公差が累積する場合があるが、保持部材８４の向きを調節可能であるため誤差を吸収でき、所定位置に濃縮飲料を吐出し易くっている。
【００５１】
次に、本実施の形態の作用を説明する。
飲料ディスペンサ１の使用時には、利用者が、シロップ飲料の選択ボタン３Ｂを操作すると、電磁弁３８、４０が開放されて、ノズルユニット３３には水が供給されると共にシロップが供給される。供給された水とシロップは、ミキサ部４１で混合されてノズル４２の吐出口４２Ａから下方に吐出される。よって、ドリップトレイ６上のカップ４にシロップ飲料が供給される。
【００５２】
また、利用者が、濃縮飲料の選択ボタン３Ｂを操作すると、電磁弁３８が開放されてノズルユニット３３には水が供給されノズル４２から水が吐出されると共に、対応するチューブポンプ５４とピンチ機構５５が作動して濃縮飲料がチューブ５３から吐出される。よって、濃縮飲料が、水に当たって水と混合され易い状態でカップ４に供給される。
【００５３】
本実施の形態のチューブポンプ５４とピンチ機構５５では、チューブ５３の屈曲が少なく、チューブ５３内を濃縮飲料は滞りなく流れ易い。その上、チューブ５３の先端部５３Ｂが扁平状に圧縮されているため、チューブ５３から吐出される濃縮飲料は流速を増し液垂れし難い状態で、ノズル４２から吐出され易くなっている。よって、濃縮飲料が水に当たって水と混合され易い状態でカップ４に供給される。
【００５４】
また、保持部材８４は角度調節可能であるため、粘度が高い濃縮飲料の場合には、保持部材８４の角度を調節をして、チューブ５３の吐出口５３Ａを上向きにセットできる。よって、液だれし易くてもノズル４２から吐出される水に適切に当て易くなっている。一方で、粘度が低い濃縮飲料の場合には、保持部材８４の角度を調節して、チューブ５３の吐出口５３Ａを下向きにセットできる。濃縮飲料の吐出方向を下向きにできるため、水に勢い良く当たって飛散することが抑制される。
【００５５】
次に、ＢＩＢ５２を交換する場合を説明する。
濃縮飲料が空になった場合などＢＩＢ５２を交換する場合には、チューブポンプ５４のガイド６４を解除位置に移動させると共に、ピンチ機構５５の開閉部材８３を開放させる。そして、チューブ５３を、チューブポンプ５４やピンチ機構５５から取り外し、ＢＩＢ５２を保冷庫５１から取り外す。
【００５６】
新たなＢＩＢ５２を装着する場合には、ＢＩＢ５２のチューブ５３を、ローター６３の外周部６３Ｃに沿わせて、ガイド６４を閉じ位置に移動させる。固定ピン６７が固定孔７１に挿入されて固定されると、チューブ５３がガイド６４に沿った状態で固定される。
この際に、固定ピン６７はピン案内部７２に案内される際に固定ピン６７の軸方向に摺動するため、装着感が得られる。
【００５７】
また、ガイド６４を閉じ位置に移動させる前に作業者が操作を止めた場合には、固定ピン６７がピン案内部７２に案内されて移動する。このため、ガイド６４が閉じ位置の近傍で未固定の状態の場合に、作業者に未固定の状態を気づかせ易くできる。よって、作業者は装着感を得られるようにガイド６４を移動させて閉じ位置にガイド６４を移動させることができ、チューブ５３が誤った状態でチューブポンプ５４に装着されることを防止できる。
【００５８】
また、保持部材８４では、挟持部８４Ｂ、８４Ｂの先端が前方に向いており、挟持部８４Ｂ、８４Ｂの開放されている先端側を目視でき、チューブ５３を挟持部８４Ｂ、８４Ｂの間に保持させる作業がし易い。よって、作業効率が良くなっている。
【００５９】
次に、チューブポンプ５４やピンチ機構５５をメンテナンスする場合を説明する。
部品の経時的な劣化などにより部品を交換する必要がある場合がある。このとき、本実施の形態では、チューブポンプ５４とピンチ機構５５とは、ポンプユニット９１、ピンチユニット９２と別体のユニットとして構成されており、それぞれ別々に本体２に組付け可能である。したがって、チューブポンプ５４とピンチ機構５５が一体のユニットを構成している場合に比べて、互いが軽量化されておりメンテナンス時の作業性が向上している。
【００６０】
以上説明したように、本実施の形態の飲料ディスペンサ１は、上下方向に延びて下方から水を吐出するノズル４２と、水に混合される濃縮飲料を収容する飲料収容部５１Ａに接続され濃縮飲料が流れるチューブ５３と、チューブ５３内の飲料を送り出すチューブポンプ５４と、を備える。また、本実施の形態の飲料ディスペンサ１は、チューブポンプ５４は、回転駆動するローター６３と、ローター６３の外周部６３Ｃに沿って湾曲する内周部６４Ａを有するガイド６４と、を有し、ガイド６４は、ローター６３の外周部６３Ｃとの間にチューブ５３を押圧する閉じ位置と、ローター６３の外周部６３Ｃとの間を開放しチューブ５３の押圧を解除する解除位置と、の間を移動可能に支持され、ガイド６４に設けられ、ガイド６４の移動方向に交差する方向に突出する固定ピン６７と、固定ピン６７を係止し、ガイド６４を閉じ位置に固定する固定孔７１と、閉じ位置と解除位置とを移動する固定ピン６７の通過領域に設けられ、ガイド６４側に突出するピン案内部７２と、を備えている。
【００６１】
したがって、ガイド６４を閉じ位置に移動させる際に固定ピン６７がピン案内部７２に接触して越えることで、作業者が装着感を得ることができ、ガイド６４が閉じ位置に移動したことを作業者へ知らしめることができる。このため、作業者は装着感を得られるようにガイド６４を移動させて閉じ位置にガイドを移動させることができ、チューブ５３が誤った状態でチューブポンプ５４に装着されることを防止できる。
【００６２】
また、本実施の形態では、ピン案内部７２は、ガイド６４の移動方向において、固定孔７１から遠ざかるにしたがって突出量が増大する固定案内面７２Ｂと、固定案内面７２Ｂに連続して形成され固定孔７１から遠ざかるにしたがって突出量が減少する解除案内面７２Ａと、を有する。
したがって、固定案内面７２Ｂにより固定ピン６７を固定孔７１に案内して係止させることができると共に、解除案内面７２Ａにより固定ピン６７を介してガイド６４を解除位置側に案内することができる。よって、ガイド６４が閉じ位置の近傍で未固定の状態の場合に、作業者に未固定の状態を気づかせ易くできる。
【００６３】
また、本実施の形態では、回動ピン６５を有し、閉じ位置と解除位置との間を、回動ピン６５を中心に回動可能に支持されたガイド６４と、回動ピン６５に平行に延び、回動ピン６５に平行に摺動可能に支持された固定ピン６７と、固定ピン６７を固定孔７１側に付勢する圧縮バネ６９と、を備える。
したがって、係止部を摺動する固定ピン６７とすることでの摺動量を確保し易く、吐出した状態と吐出していない状態に大きな差を設けることができる。
【００６４】
なお、本発明は、前記実施形態に記載のものに限定されるものではなく、本発明の趣旨を逸脱しない範囲で種々変更および応用が可能である。
例えば、ノズル４２が複数設けられる構成でも良い。
チューブポンプ５４とピンチ機構５５とは別体で構成されているが、一体のユニットでも良い。
ピンチ機構５５の保持部材８４が角度調整可能である構成を説明したが、保持部材８４は固定でも良い。
チューブポンプ５４のガイド６４は左右で異なる側に配置されていたが、同じ側に配置されても良い。
【産業上の利用可能性】
【００６５】
以上のように、本発明に係る飲料ディスペンサは、ＢＩＢを使用する飲料ディスペンサにおいて、チューブが、ローターの外周部とガイドの内周部とに挟まれてチューブポンプに装着される飲料ディスペンサに好適に利用可能である。
【符号の説明】
【００６６】
１  飲料ディスペンサ
４２  ノズル
５１Ａ  飲料収容部
５３  チューブ
５３Ａ  吐出口
５３Ｂ  先端部
５４  チューブポンプ
５５  ピンチ機構
６３  ローター
６３Ｃ  外周部
６４  ガイド
６４Ａ  内周部
８４  保持部材（保持部）
９１  ポンプユニット
９２  ピンチユニット
Ａ  接線方向
【図１】
2020132225.tif 000003
【図２】
2020132225.tif 000004
【図３】
2020132225.tif 000005
【図４】
2020132225.tif 000006
【図５】
2020132225.tif 000007
【図６】
2020132225.tif 000008
【図７】
2020132225.tif 000009
【図８】
2020132225.tif 000010
【図９】
2020132225.tif 000011
【図１０】
2020132225.tif 000012
【図１１】
2020132225.tif 000013
【図１２】
2020132225.tif 000014